(57)【要約】【課題】アドレスを持たないＳＤＨ装置の存在やＳＤＨ網の規模に拘らず、精度の高いネットワークトポロジーを構築することができるようにする。【解決手段】ＳＤＨ装置は、ＮＭＳからの指示に基づいて、隣接するＳＤＨ装置に対して、自装置の識別情報と、該識別情報の送信ポート情報と、を送信する第１の送信部と、他のＳＤＨ装置から、前記他のＳＤＨ装置の識別情報と送信ポート情報とを受信した場合、ＮＭＳに対して、自装置の識別情報とともに、前記他のＳＤＨ装置の識別情報と、前記他のＳＤＨ装置の識別情報の送受信ポート情報と、を含んだ接続関係情報を送信する第２の送信部とを備える。ＮＭＳは、前記複数のＳＤＨ装置から選択した第１のＳＤＨ装置に対して、隣接するＳＤＨ装置への自装置の識別情報とポート情報との送信を指示するコマンド制御部と、前記接続関係情報に基づいてネットワークトポロジーを構築するネットワークトポロジー構築部と、を備える。【選択図】図１
2013026687.tif 000002
【特許請求の範囲】
【請求項１】
ネットワーク管理装置からの指示に基づいて、隣接する同期デジタルハイアラーキ装置に対して、自装置の識別情報と、該識別情報の送信ポート情報と、を送信する第１の送信部と、
他の同期デジタルハイアラーキ装置から、前記他の同期デジタルハイアラーキ装置の識別情報と送信ポート情報とを受信した場合、前記ネットワーク管理装置に対して、自装置の識別情報とともに、前記他の同期デジタルハイアラーキ装置の識別情報と、前記他の同期デジタルハイアラーキ装置の識別情報の送受信ポート情報と、を含んだ接続関係情報を送信する第２の送信部とを備える複数の同期デジタルハイアラーキ装置と、
前記複数の同期デジタルハイアラーキ装置から選択した第１の同期デジタルハイアラーキ装置に対して、隣接する同期デジタルハイアラーキ装置への自装置の識別情報とポート情報との送信を指示するコマンド制御部と、
前記隣接する同期デジタルハイアラーキ装置から受信した前記接続関係情報に基づいてネットワークトポロジーを構築するネットワークトポロジー構築部と、を備えるネットワーク管理装置と、を含むこと、
を特徴とする同期デジタルハイアラーキネットワーク。
【請求項２】
前記第１の送信部は、前記隣接する同期デジタルハイアラーキ装置に対し、伝送信号フレームのオーバーヘッド領域を用いた所定のトレースパターンの送信後、前記オーバーヘッド領域に、自装置の識別情報または該識別情報の送信ポート情報を載せて送信し、
前記第２の送信部は、前記トレースパターンに基づいて、前記オーバーヘッド領域から、前記他のＳＤＨ装置の識別情報または該識別情報の送信ポート情報を取得する請求項１の同期デジタルハイアラーキネットワーク。
【請求項３】
前記各同期デジタルハイアラーキ装置は、
さらに、前記自装置の識別情報または該識別情報の送信ポート情報を載せる前のオーバーヘッド領域の情報をバッファするメモリを備え、
前記ネットワーク管理装置から、自装置の識別情報と、該識別情報の送信ポート情報との送信指示を受けた場合、前記自装置の識別情報または該識別情報の送信ポート情報を載せる前のオーバーヘッド領域の情報をバッファしてから、前記自装置の識別情報と、該識別情報の送信ポート情報との送信処理を開始し、
前記ネットワーク管理装置に対し、前記接続関係情報を送信した後に、伝送信号フレームのオーバーヘッド領域を用いた所定の終了通知トレースパターンの送信後、前記自装置の識別情報または該識別情報の送信ポート情報を載せる前のオーバーヘッド領域の情報を再開する請求項１または２の同期デジタルハイアラーキネットワーク。
【請求項４】
前記各同期デジタルハイアラーキ装置は、伝送信号フレームのオーバーヘッド領域を用いた所定のトレースパターンの受信後、前記所定の終了通知トレースパターンを受信するまで、ＴＩＭ（Ｔｒａｃｅ  Ｉｎｄｉｃａｔｉｏｎ  Ｍｉｓｍａｔｃｈ）アラームの送信を抑止する請求項３の同期デジタルハイアラーキネットワーク。
【請求項５】
ネットワーク管理装置からの指示に基づいて、隣接する同期デジタルハイアラーキ装置に対して、自装置の識別情報と、該識別情報の送信ポート情報と、を送信する第１の送信部と、
他の同期デジタルハイアラーキ装置から、前記他の同期デジタルハイアラーキ装置の識別情報と送信ポート情報とを受信した場合、前記ネットワーク管理装置に対して、自装置の識別情報とともに、前記他の同期デジタルハイアラーキ装置の識別情報と、前記他の同期デジタルハイアラーキ装置の識別情報の送受信ポート情報と、を含んだ接続関係情報を送信する第２の送信部とを備える複数の同期デジタルハイアラーキ装置。
【請求項６】
前記第１の送信部は、前記隣接する同期デジタルハイアラーキ装置に対し、伝送信号フレームのオーバーヘッド領域を用いた所定のトレースパターンの送信後、前記オーバーヘッド領域に、自装置の識別情報または該識別情報の送信ポート情報を載せて送信し、
前記第２の送信部は、前記トレースパターンに基づいて、前記オーバーヘッド領域から、前記他のＳＤＨ装置の識別情報または該識別情報の送信ポート情報を取得する請求項５の同期デジタルハイアラーキ装置。
【請求項７】
さらに、前記自装置の識別情報または該識別情報の送信ポート情報を載せる前のオーバーヘッド領域の情報をバッファするメモリを備え、
前記ネットワーク管理装置から、自装置の識別情報と、該識別情報の送信ポート情報との送信指示を受けた場合、前記自装置の識別情報または該識別情報の送信ポート情報を載せる前のオーバーヘッド領域の情報をバッファしてから、前記自装置の識別情報と、該識別情報の送信ポート情報との送信処理を開始し、
前記ネットワーク管理装置に対し、前記接続関係情報を送信した後に、伝送信号フレームのオーバーヘッド領域を用いた所定の終了通知トレースパターンの送信後、前記自装置の識別情報または該識別情報の送信ポート情報を載せる前のオーバーヘッド領域の情報を再開する請求項５または６の同期デジタルハイアラーキ装置。
【請求項８】
ネットワーク管理装置からの指示に基づいて、隣接する同期デジタルハイアラーキ装置に対して、自装置の識別情報と、該識別情報の送信ポート情報と、を送信する第１の送信部と、他の同期デジタルハイアラーキ装置から、前記他の同期デジタルハイアラーキ装置の識別情報と送信ポート情報とを受信した場合、前記ネットワーク管理装置に対して、自装置の識別情報とともに、前記他の同期デジタルハイアラーキ装置の識別情報と、前記他の同期デジタルハイアラーキ装置の識別情報の送受信ポート情報と、を含んだ接続関係情報を送信する第２の送信部とを備える複数の同期デジタルハイアラーキ装置から選択した第１の同期デジタルハイアラーキ装置に対して、隣接する同期デジタルハイアラーキ装置への自装置の識別情報とポート情報との送信を指示するコマンド制御部と、
前記隣接する同期デジタルハイアラーキ装置から受信した前記接続関係情報に基づいてネットワークトポロジーを構築するネットワークトポロジー構築部と、を備えるネットワーク管理装置。
【請求項９】
ネットワーク管理装置が、管理対象の複数の同期デジタルハイアラーキ装置から選択した第１の同期デジタルハイアラーキ装置に対して、隣接する同期デジタルハイアラーキ装置への自装置の識別情報とポート情報との送信を指示するステップと、
前記同期デジタルハイアラーキ装置が、前記ネットワーク管理装置からの指示に基づいて、隣接する同期デジタルハイアラーキ装置に対して、自装置の識別情報と、該識別情報の送信ポート情報と、を送信するステップと、
前記隣接する同期デジタルハイアラーキ装置が、前記ネットワーク管理装置に対して、自装置の識別情報とともに、前記他の同期デジタルハイアラーキ装置の識別情報と、前記他の同期デジタルハイアラーキ装置の識別情報の送受信ポート情報と、を含んだ接続関係情報を送信するステップと、
前記ネットワーク管理装置が、前記各同期デジタルハイアラーキ装置から受信した接続関係情報に基づいて、前記各同期デジタルハイアラーキ装置によって構成されるネットワークトポロジーを構築するステップと、を含むこと、
を特徴とする同期デジタルハイアラーキネットワークのトポロジー構築方法。
【請求項１０】
同期デジタルハイアラーキ装置に搭載されたコンピュータに、
ネットワーク管理装置からの指示に基づいて、隣接する同期デジタルハイアラーキ装置に対して、自装置の識別情報と、該識別情報の送信ポート情報と、を送信する処理と、
他の同期デジタルハイアラーキ装置から、前記他の同期デジタルハイアラーキ装置の識別情報と送信ポート情報とを受信した場合、前記ネットワーク管理装置に対して、自装置の識別情報とともに、前記他の同期デジタルハイアラーキ装置の識別情報と、前記他の同期デジタルハイアラーキ装置の識別情報の送受信ポート情報と、を含んだ接続関係情報を送信する処理とを実行させるプログラム。
【発明の詳細な説明】
【技術分野】
【０００１】
本発明は、同期デジタルハイアラーキネットワーク（以下、「ＳＤＨ網」という。）、同期デジタルハイアラーキ装置（以下、「ＳＤＨ装置」という。）、ネットワーク管理装置、ＳＤＨ網のトポロジー構築方法およびプログラムに関する。
【背景技術】
【０００２】
従来、ＳＤＨ網を管理するためネットワーク管理システム（ＮＭＳ）上にネットワークトポロジーを構築する場合、ＳＤＨ装置間の接続情報を手動で登録を行っていた。このため、大規模ネットワークを管理するケースでは、ＮＭＳ上に膨大な接続情報の登録を行う必要があり、ネットワークトポロジーを構築するのが容易ではなかった。この作業を省力化するために事前に構成ファイルを作成して、ファイル入力によるネットワークトポロジーの構築を行う方法が知られている。しかしながら、入力する構成ファイルと実ネットワークの構成が必ずしも一致しているという保証はなく、情報にずれが発生すると、ＮＭＳ上に、誤ったネットワークトポロジーを構築してしまうという問題点がある。
【０００３】
特許文献１には、各ネットワーク要素がネットワークトポロジーの自動検出を行う遠隔通信ネットワークが開示されている。同文献には、ネットワーク要素のポート内の各終端ポイントにはネットワーク又はサブネットワーク内でユニークなアドレスが割り当てられており、対応するネットワーク要素は、割り当てられたユニークなアドレスを表すメッセージを終端ポイントから出力トレールに放射し、メッセージはトレールの他方の端部の終端ポイントに向けられる。通信トレールの何れかの端部の各ネットワーク要素は、従って、他方の端部の要素の終端ポイントのアドレスを表すメッセージを受信する。この様にして、接続の各終端ポイントが、接続されている他方の終端ポイントを識別する情報をメッセージ内で受信する、と記載されている。
【０００４】
特許文献２には、リングネットワークを構成するＳＤＨ伝送システムにおいて、各伝送装置が、送信ポートから送出されるＳＤＨフレームのＪ０バイトにそれぞれユニークなビット列を挿入するとともに、受信したＳＤＨフレームに含まれるＪ０バイトのビット列を各伝送装置１００において検出し、挿入したＪ０バイトのビット列および検出したビット列の双方を、監視装置２００に通知する。これにより、監視装置２００が各伝送装置１００のパスごとの接続関係を認識し、その結果に基づいてネットワーク構成情報を生成することが記載されている。
【先行技術文献】
【特許文献】
【０００５】
【特許文献１】特表２００５−５０７５７５号公報
【特許文献２】特開２００８−１３６２５０号公報
【発明の概要】
【発明が解決しようとする課題】
【０００６】
以下の分析は、本発明によって与えられたものである。上記した特許文献１では、ＳＤＨ装置等の各ネットワーク要素を識別するために、アドレスを用いており、アドレスを持たないＳＤＨ装置を含むネットワークには適用できないという問題点がある。
【０００７】
また、特許文献２の発明は、すべてのノードのすべてのポートにおいてユニークな値をＪ０バイトに設定しておく必要があり、多数のＳＤＨ装置を用いて、メッシュ状の大規模ネットワークを管理するケースでは適用できないという問題点がある。
【０００８】
その他、ＳＤＨ装置にルーティングプロトコルを持たせ、隣接装置を認識することでネットワークトポロジーを自動で構築する方法も知られているが、ネットワークの規模に比例してルーティングテーブルの更新処理が重たくなるため、大規模ネットワークには適さない。
【０００９】
本発明は、上記した事情に鑑みてなされたものであって、その目的とするところは、アドレスを持たないＳＤＨ装置の存在やＳＤＨ網の規模に拘らず、精度の高いネットワークトポロジーを構築できるＳＤＨ網、ＳＤＨ装置、ネットワーク管理装置、ＳＤＨ網のトポロジー構築方法およびプログラムを提供することにある。
【課題を解決するための手段】
【００１０】
本発明の第１の視点によれば、ネットワーク管理装置からの指示に基づいて、隣接するＳＤＨ装置に対して、自装置の識別情報と、該識別情報の送信ポート情報と、を送信する第１の送信部と、他のＳＤＨ装置から、前記他のＳＤＨ装置の識別情報と送信ポート情報とを受信した場合、前記ネットワーク管理装置に対して、自装置の識別情報とともに、前記他のＳＤＨ装置の識別情報と、前記他のＳＤＨ装置の識別情報の送受信ポート情報と、を含んだ接続関係情報を送信する第２の送信部とを備える複数のＳＤＨ装置と、前記複数のＳＤＨ装置から選択した第１のＳＤＨ装置に対して、隣接するＳＤＨ装置への自装置の識別情報とポート情報との送信を指示するコマンド制御部と、前記隣接するＳＤＨ装置から受信した前記接続関係情報に基づいてネットワークトポロジーを構築するネットワークトポロジー構築部と、を備えるネットワーク管理装置と、を含むＳＤＨ網が提供される。
【００１１】
本発明の第２の視点によれば、ネットワーク管理装置からの指示に基づいて、隣接するＳＤＨ装置に対して、自装置の識別情報と、該識別情報の送信ポート情報と、を送信する第１の送信部と、他のＳＤＨ装置から、前記他のＳＤＨ装置の識別情報と送信ポート情報とを受信した場合、前記ネットワーク管理装置に対して、自装置の識別情報とともに、前記他のＳＤＨ装置の識別情報と、前記他のＳＤＨ装置の識別情報の送受信ポート情報と、を含んだ接続関係情報を送信する第２の送信部とを備える複数のＳＤＨ装置が提供される。
【００１２】
本発明の第３の視点によれば、上記した複数のＳＤＨ装置から選択した第１のＳＤＨ装置に対して、隣接するＳＤＨ装置への自装置の識別情報とポート情報との送信を指示するコマンド制御部と、前記隣接するＳＤＨ装置から受信した前記接続関係情報に基づいてネットワークトポロジーを構築するネットワークトポロジー構築部と、を備えるＳＤＨ網が提供される。
【００１３】
本発明の第４の視点によれば、ネットワーク管理装置が、管理対象の複数のＳＤＨ装置から選択した第１のＳＤＨ装置に対して、隣接するＳＤＨ装置への自装置の識別情報とポート情報との送信を指示するステップと、前記ＳＤＨ装置が、前記ネットワーク管理装置からの指示に基づいて、隣接するＳＤＨ装置に対して、自装置の識別情報と、該識別情報の送信ポート情報と、を送信するステップと、前記隣接するＳＤＨ装置が、前記ネットワーク管理装置に対して、自装置の識別情報とともに、前記他のＳＤＨ装置の識別情報と、前記他のＳＤＨ装置の識別情報の送受信ポート情報と、を含んだ接続関係情報を送信するステップと、前記ネットワーク管理装置が、前記各ＳＤＨ装置から受信した接続関係情報に基づいて、前記各ＳＤＨ装置によって構成されるネットワークトポロジーを構築するステップと、を含むＳＤＨ網のトポロジー構築方法が提供される。本方法は、ＳＤＨ網を構成するＳＤＨ装置およびネットワーク管理装置という、特定の機械に結びつけられている。
【００１４】
本発明の第５の視点によれば、上記したＳＤＨ装置およびネットワーク管理装置を構成するコンピュータに、それぞれ実行させるプログラムが提供される。なお、このプログラムは、コンピュータが読み取り可能な記憶媒体に記録することができる。即ち、本発明は、コンピュータプログラム製品として具現することも可能である。
【発明の効果】
【００１５】
本発明によれば、アドレスを持たないＳＤＨ装置の存在やＳＤＨ網の規模に拘らず、精度の高いネットワークトポロジーを構築することが可能となる。
【図面の簡単な説明】
【００１６】
【図１】本発明の第１の実施形態の構成を表した図である。
【図２】本発明の第１の実施形態のＳＤＨ装置の詳細構成を表した図である。
【図３】本発明の第１の実施形態の動作を表したシーケンス図である。
【図４】図３のステップＳ００９で送信される接続関係情報の一例である。
【図５】接続関係情報から把握されるネットワークトポロジーの例を説明するための図である。
【発明を実施するための形態】
【００１７】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。本発明は、図１、図２に示すように、複数のＳＤＨ装置（図１、図２のＳＤＨ＿Ａ〜ＳＤＨ＿Ｃ参照）と、前記複数のＳＤＨ装置から選択した第１のＳＤＨ装置に対して、隣接するＳＤＨ装置への自装置の識別情報とポート情報との送信を指示するコマンド制御部（図１のコマンド制御部１１参照）と、前記隣接するＳＤＨ装置から受信した前記接続関係情報に基づいてネットワークトポロジーを構築するネットワークトポロジー構築部（図１のネットワークトポロジー構築部１３参照）と、を備えるネットワーク管理装置（図１、図２のＮＭＳ１０参照）と、を含むＳＤＨ網にて実現できる。
【００１８】
複数のＳＤＨ装置（図１、図２のＳＤＨ＿Ａ〜ＳＤＨ＿Ｃ参照）は、ネットワーク管理装置（図１、図２のＮＭＳ１０参照）からの指示（図２の送信指示コマンド）に基づいて、隣接するＳＤＨ装置とのリンクに関する情報を収集して、ネットワーク管理装置（図１、図２のＮＭＳ１０参照）に送信する隣接構成管理部２３Ａ〜２３Ｃを備える。より具体的には、隣接構成管理部２３Ａ〜２３Ｃは、隣接するＳＤＨ装置に対して、自装置の識別情報と、該識別情報の送信ポート情報と、を送信する第１の送信部（図２の第１送信部２１Ａ〜２１Ｃ参照）と、他のＳＤＨ装置から、前記他のＳＤＨ装置の識別情報と送信ポート情報とを受信した場合、前記ネットワーク管理装置（図１、図２のＮＭＳ参照）に対して、自装置の識別情報とともに、前記他のＳＤＨ装置の識別情報と、前記他のＳＤＨ装置の識別情報の送受信ポート情報と、を含んだ接続関係情報を送信する第２の送信部（図２の第２送信部２２Ａ〜２２Ｃ参照）とを含んで構成される。
【００１９】
例えば、ネットワーク管理装置（図１、図２のＮＭＳ１０参照）が、ＳＤＨ装置（ＳＤＨ＿Ｂ）に対して、隣接するＳＤＨ装置（ＳＤＨ＿Ａ、ＳＤＨ＿Ｃ）への自装置の識別情報とポート情報との送信を指示すると、ＳＤＨ装置（ＳＤＨ＿Ｂ）は、自装置の識別情報（ＳＤＨ＿Ｂ）と、隣接するＳＤＨ装置（ＳＤＨ＿Ａ、ＳＤＨ＿Ｃ）と接続するポート情報（＃４、＃８）とを隣接するＳＤＨ装置（ＳＤＨ＿Ａ、ＳＤＨ＿Ｃ）に送信する。
【００２０】
ＳＤＨ装置（ＳＤＨ＿Ａ、ＳＤＨ＿Ｃ）は、ＳＤＨ装置（ＳＤＨ＿Ｂ）から受信した情報に、自装置の識別情報と、ＳＤＨ装置（ＳＤＨ＿Ｂ）との接続ポート情報とを加えて、ネットワーク管理装置（図１、図２のＮＭＳ参照）に対して接続関係情報として送信する。ネットワーク管理装置（図１、図２のＮＭＳ参照）は、前記接続関係情報に基づいて、ネットワークトポロジーを構築する。以上のようにして、アドレスを持たないＳＤＨ装置の存在してもネットワークトポロジーを構築することができる。また、従来のルーティングプロトコルを用いる方法と比べても、ルーティングテーブルの更新・管理が不要であるため、大規模ネットワークにも好適に適用することができる。
【００２１】
［第１の実施形態］
続いて、本発明の第１の実施形態について図面を参照して詳細に説明する。図１は、本発明の第１の実施形態の構成を表した図である。図１を参照すると、管理対象のＳＤＨ装置群５０にＳＤＨ装置２０Ａ〜２０Ｃに各種設定等を行うＮＭＳ１０とを含むＳＤＨ網が示されている。
【００２２】
ＮＭＳ１０は、ＳＤＨ装置２０Ａ〜２０Ｃから選択したＳＤＨ装置に対して、隣接するＳＤＨ装置への自装置名とポート情報との送信を指示するコマンド制御部１１と、前記隣接するＳＤＨ装置から接続関係情報を受信する通知受信部１２と、前記受信した接続関係情報に基づいてネットワークトポロジーを構築するネットワークトポロジー構築部１３とを備えて構成されている。
【００２３】
図２は、ＳＤＨ装置２０Ａ〜２０Ｃの詳細構成を表した図である。図２を参照すると、第１送信部２１Ａ〜２１Ｃ、第２送信部２２Ａ〜２２Ｃを含む隣接構成管理部２３Ａ〜２３Ｃを備えたＳＤＨ装置２０Ａ〜２０Ｃが示されている。なお、図２の第１送信部２１Ｂ、第２送信部２２Ａ、２２Ｃ間を接続する矢線に付された番号は、ポート番号を示している。
【００２４】
ＳＤＨ装置２０Ａ〜２０Ｃの第１送信部２１Ａ〜２１Ｃは、ＮＭＳ１０からの指示を受けると、それまで送信していたセクショントレースバイトを所定のバッファに保存する。その後、第１送信部２１Ａ〜２１Ｃは、隣接するＳＤＨ装置に対して、自装置名と、自装置名の送信ポート情報とを送信する。また、このとき、ＳＤＨ装置２０Ａ〜２０Ｃは、ＳＤＨ装置間で授受しているフレーム中のセクショントレースバイト（Ｊ０バイト）を利用して、前記自装置名または送信ポート情報を送信するものとする。ここで、セクショントレースバイト（Ｊ０バイト）は、ＳＤＨ装置間をつなぐ光ファイバーが誤接続していないことを確認するために授受されるオーバーヘッド領域中の情報である。
【００２５】
また、第１送信部２１Ａ〜２１Ｃは、前記各情報の送信にあたって、以下のトレースパターンを、セクショントレースバイトに載せて送信する機能を有している。
（１）自装置名を送信することを知らせるトレースパターン（例えば、“ＡＡＡＡ”→“ＳＳＳＳ”→“ＺＺＺＺ”とのパターンを所定回送信する。）
（２）ポート情報を送信することを知らせるトレースパターン（例えば、“ＭＯＲＥ”→“ＩＮＦＯ”とのパターンを所定回送信する。）
（３）自装置名およびポート情報の送信が終了したことを知らせるトレースパターン（例えば、“ＱＱＱＱ”→“ＴＴＴＴ”とのパターンを所定回送信する。）
【００２６】
また、第１送信部２１Ａ〜２１Ｃは、前記（３）の自装置名およびポート情報の送信終了することを知らせるトレースパターンの送信後、前記ＳＤＨ装置２０Ａ〜２０Ｃは、所定のバッファに保存しておいたそれまで送信していたセクショントレースバイトの送信を再開する。
【００２７】
ＳＤＨ装置２０Ａ〜２０Ｃの第２送信部２２Ａ〜２２Ｃ、上記トレースパターンを受信すると、その後に受信するセクショントレースバイト情報から、各トレースパターンに対応する情報を抽出する。
【００２８】
また、第２送信部２２Ａ〜２２Ｃは、ＮＭＳ１０に対して、前記抽出した他のＳＤＨ装置の装置名とポート情報に、自装置名と自装置側の前記多のＳＤＨ装置からの情報を受信する接続ポート情報を加えた接続関係情報（図４参照）を送信する。
【００２９】
なお、ＳＤＨ装置２０Ａ〜２０Ｃは、前記（１）の自装置名を送信することを知らせるトレースパターンの受信後、前記（３）の自装置名およびポート情報の送信終了することを知らせるトレースパターンを受信するまで、セクショントレースバイトによるＴＩＭ（Ｔｒａｃｅ  Ｉｎｄｉｃａｔｉｏｎ  Ｍｉｓｍａｔｃｈ）アラームの発出を抑止する機能を有する。
【００３０】
また、図１、図２に示したＮＭＳ１０およびＳＤＨ装置の各部（処理手段）は、これらの装置を構成するコンピュータに、そのハードウェアを用いて、上記した各処理を実行させるコンピュータプログラムにより実現することもできる。
【００３１】
続いて、本実施形態の動作について図面を参照して詳細に説明する。図３は、本発明の第１の実施形態の動作を表したシーケンス図である。
【００３２】
図３を参照すると、まず、ＮＭＳ１０は、管理対象のＳＤＨ装置群５０から選択したＳＤＨ装置に対して、隣接するＳＤＨ装置への自装置名とポート情報との送信を指示する（ステップＳ００１；送信指示コマンド）。ここでは、ＮＭＳ１０は、ＳＤＨ装置（ＳＤＨ＿Ｂ）に対して、送信指示コマンドを送信したものとする。
【００３３】
ＳＤＨ装置（ＳＤＨ＿Ｂ）は、送信中のセクショントレースバイトの内容を所定のバッファに保存する。（ステップＳ００２）。
【００３４】
次に、ＳＤＨ装置（ＳＤＨ＿Ｂ）は、隣接するＳＤＨ装置（ＳＤＨ＿Ａ）とＳＤＨ装置（ＳＤＨ＿Ｃ）に対して、これから自装置名を送信することを知らせるトレースパターン（例えば、“ＡＡＡＡ”→“ＳＳＳＳ”→“ＺＺＺＺ”）を所定回数繰り返して送信する（ステップＳ００３）。
【００３５】
次に、ＳＤＨ装置（ＳＤＨ＿Ｂ）は、ＳＤＨ装置（ＳＤＨ＿Ａ）とＳＤＨ装置（ＳＤＨ＿Ｃ）に対して、自装置名（ＳＤＨ＿Ｂ）をセクショントレースバイトに載せて所定期間（例えば、５秒）送信する（ステップＳ００４）。
【００３６】
ＳＤＨ装置（ＳＤＨ＿Ａ）とＳＤＨ装置（ＳＤＨ＿Ｃ）は、前記トレースパターン（例えば、“ＡＡＡＡ”→“ＳＳＳＳ”→“ＺＺＺＺ”）に基づいて、セクショントレースバイトからＳＤＨ装置（ＳＤＨ＿Ｂ）の自装置名（ＳＤＨ＿Ｂ）を取得する。
【００３７】
次に、ＳＤＨ装置（ＳＤＨ＿Ｂ）は、隣接するＳＤＨ装置（ＳＤＨ＿Ａ）とＳＤＨ装置（ＳＤＨ＿Ｃ）に対して、これからポート情報を送信することを知らせるトレースパターン（例えば、“ＭＯＲＥ”→“ＩＮＦＯ”）を所定回数繰り返して送信する（ステップＳ００５）。
【００３８】
次に、ＳＤＨ装置（ＳＤＨ＿Ｂ）は、ＳＤＨ装置（ＳＤＨ＿Ａ）とＳＤＨ装置（ＳＤＨ＿Ｃ）に対して、ポート情報をセクショントレースバイトに載せて所定期間（例えば、５秒）送信する（ステップＳ００６）。ここでは、ＳＤＨ装置（ＳＤＨ＿Ｂ）は、ＳＤＨ装置（ＳＤＨ＿Ａ）に対して、ポート情報として、ＳＤＨ装置（ＳＤＨ＿Ａ）との接続ポート番号である＃４を通知する。同様に、ＳＤＨ装置（ＳＤＨ＿Ｂ）は、ＳＤＨ装置（ＳＤＨ＿Ｃ）に対して、ポート情報として、ＳＤＨ装置（ＳＤＨ＿Ｃ）との接続ポート番号である＃８を通知する（図２参照）。
【００３９】
ＳＤＨ装置（ＳＤＨ＿Ａ）とＳＤＨ装置（ＳＤＨ＿Ｃ）は、前記トレースパターン（例えば、“ＭＯＲＥ”→“ＩＮＦＯ”）に基づいて、セクショントレースバイトからＳＤＨ装置（ＳＤＨ＿Ｂ）側のポート情報を取得する。
【００４０】
次に、ＳＤＨ装置（ＳＤＨ＿Ｂ）は、隣接するＳＤＨ装置（ＳＤＨ＿Ａ）とＳＤＨ装置（ＳＤＨ＿Ｃ）に対して、自装置名およびポート情報の送信が終了したことを知らせるトレースパターン（例えば、“ＱＱＱＱ”→“ＴＴＴＴ”）を所定回数送信する（ステップＳ００７）。
【００４１】
その後、ＳＤＨ装置（ＳＤＨ＿Ｂ）は、ステップＳ００２で保存したセクショントレースバイトを送信する（ステップＳ００８）。
【００４２】
ＳＤＨ装置（ＳＤＨ＿Ａ）とＳＤＨ装置（ＳＤＨ＿Ｃ）は、ＮＭＳ１０に対して、前記ＳＤＨ装置（ＳＤＨ＿Ｂ）から受信した情報と接続関係情報として送信する（ステップＳ００９）。
【００４３】
図４は、図３のステップＳ００９で送信される接続関係情報の一例である。その後、ＮＭＳ１０は、ＳＤＨ装置（ＳＤＨ＿Ａ）とＳＤＨ装置（ＳＤＨ＿Ｃ）から通知された接続関係情報に基づいて、ネットワークトポロジー情報を更新する（ステップＳ０１０）。
【００４４】
図５は、接続関係情報から把握されるネットワークトポロジーの例を説明するための図である。以下、簡単のため、接続関係情報は、（送信元ＳＤＨ装置名，送信元ＳＤＨ装置ポート番号，受信ＳＤＨ装置名，受信ＳＤＨ装置ポート番号）というフォーマットを有しているものとする。例えば、図５に示すように、（ＳＤＨ＿Ｂ，＃４，ＳＤＨ＿Ａ，＃５）、（ＳＤＨ＿Ｂ，＃８，ＳＤＨ＿Ｃ，＃１）という接続関係情報が得られている場合、ＳＤＨ＿ＢとＳＤＨ＿Ａと、ＳＤＨ＿ＢとＳＤＨ＿Ｃがそれぞれ隣接していることが分かる。また、ＳＤＨ＿ＢのＳＤＨ＿Ａとの接続ポート番号は＃４であり、ＳＤＨ＿Ｃとの接続ポート番号は＃８であることが分かる。さらに、ＳＤＨ＿ＡのＳＤＨ＿Ｂとの接続ポート番号は＃５であり、ＳＤＨ＿ＣのＳＤＨ＿Ｂとの接続ポート番号は＃１であることが分かる。以上の結果、図５の下段に示すようなネットワークトポロジーが得られる。
【００４５】
以上説明したように、本実施形態によれば、ＮＭＳ１０からの送信指示コマンド送出をトリガに、各ＳＤＨ装置が連携してネットワークトポロジーを構築するための情報を収集し、接続関係情報としてＮＭＳ１０に返送する。ＮＭＳ１０は、各ＳＤＨ装置から受信した接続関係情報を用いてネットワークトポロジーを構築する。従って、大規模ネットワークにおいても、ＮＭＳ１０は、容易に実際のネットワーク構成を構築することができる。また、接続関係情報は、ＳＤＨ装置の実際の接続状態に基づいて生成されるため、ＮＭＳ１０が誤まったネットワークを構築することを防止することが可能となる。
【００４６】
以上、本発明の各実施形態を説明したが、本発明は、上記した実施形態に限定されるものではなく、本発明の基本的技術的思想を逸脱しない範囲で、更なる変形・置換・調整を加えることができる。例えば、上記した実施形態では、３つのＳＤＨ装置の直列的に接続されている例を挙げて説明したが、これはあくまで本発明の理解を助けるために示したものであり、限定されるものではない。例えば、メッシュ状やリング状に接続されている場合においても、上述した接続関係情報を用いて、そのネットワークトポロジーを把握することが可能である。
【００４７】
また、上記した実施形態では、ＮＭＳ１０がＳＤＨ装置（ＳＤＨ＿Ｂ）に対して送信指示コマンドを送信する例を挙げて説明したが、送信指示コマンドを送信するＳＤＨ装置は、ＮＭＳ１０が把握している複数またはすべてのＳＤＨ装置とすることができる。上述のように、本実施形態では、送信指示コマンドを受信したＳＤＨ装置が、それまで送信していたセクショントレースバイトの送出を抑止し、その他のＳＤＨ装置が前記（１）の自装置名を送信することを知らせるトレースパターンの受信後ＴＩＭ（Ｔｒａｃｅ  Ｉｎｄｉｃａｔｉｏｎ  Ｍｉｓｍａｔｃｈ）アラームの送信を抑止するようにしているので、大規模のネットワークにもそのまま適用することができる。
【００４８】
また、上記した実施形態で示したＳＤＨ装置間の各情報の送信順序や、それに先だって送信されるトレースパターンは、適宜変更することができる。
【００４９】
また、上記した実施形態では、ＳＤＨ装置間で、自装置名とポート情報を授受するものとして説明したが、その他の付加情報、例えば、各ＳＤＨ装置の能力情報や状態情報を授受するようにしてもよい。
【００５０】
最後に、本発明の好ましい形態を要約する。
［第１の形態］
（上記第１の視点によるＳＤＨ網参照）
［第２の形態］
第１の形態において、
前記第１の送信部は、前記隣接するＳＤＨ装置に対し、伝送信号フレームのオーバーヘッド領域を用いた所定のトレースパターンの送信後、前記オーバーヘッド領域に、自装置の識別情報または該識別情報の送信ポート情報を載せて送信し、
前記第２の送信部は、前記トレースパターンに基づいて、前記オーバーヘッド領域から、前記他のＳＤＨ装置の識別情報または該識別情報の送信ポート情報を取得するＳＤＨ網。
［第３の形態］
第１または第２の形態において、
前記各ＳＤＨ装置は、
さらに、前記自装置の識別情報または該識別情報の送信ポート情報を載せる前のオーバーヘッド領域の情報をバッファするメモリを備え、
前記ネットワーク管理装置から、自装置の識別情報と、該識別情報の送信ポート情報との送信指示を受けた場合、前記自装置の識別情報または該識別情報の送信ポート情報を載せる前のオーバーヘッド領域の情報をバッファしてから、前記自装置の識別情報と、該識別情報の送信ポート情報との送信処理を開始し、
前記ネットワーク管理装置に対し、前記接続関係情報を送信した後に、伝送信号フレームのオーバーヘッド領域を用いた所定の終了通知トレースパターンの送信後、前記自装置の識別情報または該識別情報の送信ポート情報を載せる前のオーバーヘッド領域の情報を再開するＳＤＨ網。
［第４の形態］
第３の形態において、
前記各ＳＤＨ装置は、伝送信号フレームのオーバーヘッド領域を用いた所定のトレースパターンの受信後、前記所定の終了通知トレースパターンを受信するまで、ＴＩＭ（Ｔｒａｃｅ  Ｉｎｄｉｃａｔｉｏｎ  Ｍｉｓｍａｔｃｈ）アラームの送信を抑止するＳＤＨ網。
［第５の形態］
（上記第２の視点によるＳＤＨ装置参照）
［第６の形態］
第５の形態において、
前記第１の送信部は、前記隣接するＳＤＨ装置に対し、伝送信号フレームのオーバーヘッド領域を用いた所定のトレースパターンの送信後、前記オーバーヘッド領域に、自装置の識別情報または該識別情報の送信ポート情報を載せて送信し、
前記第２の送信部は、前記トレースパターンに基づいて、前記オーバーヘッド領域から、前記他のＳＤＨ装置の識別情報または該識別情報の送信ポート情報を取得するのＳＤＨ装置。
［第７の形態］
第５または第６の形態において、
さらに、前記自装置の識別情報または該識別情報の送信ポート情報を載せる前のオーバーヘッド領域の情報をバッファするメモリを備え、
前記ネットワーク管理装置から、自装置の識別情報と、該識別情報の送信ポート情報との送信指示を受けた場合、前記自装置の識別情報または該識別情報の送信ポート情報を載せる前のオーバーヘッド領域の情報をバッファしてから、前記自装置の識別情報と、該識別情報の送信ポート情報との送信処理を開始し、
前記ネットワーク管理装置に対し、前記接続関係情報を送信した後に、伝送信号フレームのオーバーヘッド領域を用いた所定の終了通知トレースパターンの送信後、前記自装置の識別情報または該識別情報の送信ポート情報を載せる前のオーバーヘッド領域の情報を再開するＳＤＨ装置。
［第８の形態］
（上記第３の視点によるネットワーク管理装置参照）
［第９の形態］
（上記第４の視点によるＳＤＨ網のトポロジー構築方法参照）
［第１０の形態］
同期デジタルハイアラーキ装置に搭載されたコンピュータに、
ネットワーク管理装置からの指示に基づいて、隣接する同期デジタルハイアラーキ装置に対して、自装置の識別情報と、該識別情報の送信ポート情報と、を送信する処理と、
他の同期デジタルハイアラーキ装置から、前記他の同期デジタルハイアラーキ装置の識別情報と送信ポート情報とを受信した場合、前記ネットワーク管理装置に対して、自装置の識別情報とともに、前記他の同期デジタルハイアラーキ装置の識別情報と、前記他の同期デジタルハイアラーキ装置の識別情報の送受信ポート情報と、を含んだ接続関係情報を送信する処理とを実行させるプログラム。
［第１１の形態］
隣接する同期デジタルハイアラーキ装置に対して、自装置の識別情報と、該識別情報の送信ポート情報と、を送信する第１の送信部と、他の同期デジタルハイアラーキ装置から、前記他の同期デジタルハイアラーキ装置の識別情報と送信ポート情報とを受信した場合、ネットワーク管理装置に対して、自装置の識別情報とともに、前記他の同期デジタルハイアラーキ装置の識別情報と、前記他の同期デジタルハイアラーキ装置の識別情報の送受信ポート情報と、を含んだ接続関係情報を送信する第２の送信部とを備える複数の同期デジタルハイアラーキ装置によって構成されるネットワークを管理するネットワーク管理装置に搭載されたコンピュータに、
前記複数の同期デジタルハイアラーキ装置から選択した第１の同期デジタルハイアラーキ装置に対して、隣接する同期デジタルハイアラーキ装置への自装置の識別情報とポート情報との送信を指示する処理と、
前記隣接する同期デジタルハイアラーキ装置から受信した前記接続関係情報に基づいてネットワークトポロジーを構築する処理と、を実行させるプログラム。
【符号の説明】
【００５１】
１０  ネットワーク管理システム（ＮＭＳ）
１１  コマンド制御部
１２  通知受信部
１３  ネットワークトポロジー構築部
２０Ａ〜２０Ｃ  ＳＤＨ装置
２１Ａ〜２１Ｃ  第１送信部
２２Ａ〜２２Ｃ  第２送信部
２３Ａ〜２３Ｃ  隣接構成管理部
５０  管理対象のＳＤＨ装置群
【図１】
2013026687.tif 000003
【図２】
2013026687.tif 000004
【図３】
2013026687.tif 000005
【図４】
2013026687.tif 000006
【図５】
2013026687.tif 000007